(57)【要約】【課題】マンション等の住宅において、台所の使用勝手と採光性を高めた構成の住宅構造を提供する。【解決手段】マンション等の住宅における住宅構造において、少なくとも、台所１と、台所１に設けた調理台２と、台所１の戸外面に面して設けたバルコニー３とを備えてなり、台所１とバルコニー３を区切る外壁４に、台所１とバルコニー３との間を出入りするための勝手口５を設ける。また、外壁４に、調理台２に自然光を採光するための小窓６を形成する。【選択図】      図１
0003107963.tif 000002
【実用新案登録請求の範囲】
【請求項１】
マンション等の住宅における住宅構造であって、少なくとも、台所（１）と、前記台所に設けた調理台（２）と、前記台所の戸外面に面して設けたバルコニー（３）とを備えてなり、前記台所とバルコニーを区切る外壁（４）に，前記台所とバルコニーとの間を出入りするための勝手口（５）を設けてなる台所開口部付き住宅構造。
【請求項２】
マンション等の住宅における住宅構造であって、少なくとも、台所（１）と、前記台所に設けた調理台（２）と、前記台所の戸外面に面して設けたバルコニー（３）とを備えてなり、前記台所とバルコニーを区切る外壁（４）に，前記台所とバルコニーとの間を出入りするための勝手口（５）を設け、さらに，前記外壁に，前記調理台に自然光を採光するための小窓（６）を形成してなる台所開口部付き住宅構造。
【考案の詳細な説明】
【技術分野】
【０００１】
本考案は、マンション等の住宅において、台所の使用勝手と採光性を高めた住宅構造に関するものである。
【背景技術】
【０００２】
従来、例えばマンションの住宅は、二階以上は地面より高い部分に位置するので、戸建ての住宅と異なり、台所に勝手口が設けられていない。また、調理台の戸外に面する部分には外壁が存在している。
【考案の開示】
【考案が解決しようとする課題】
【０００３】
こうした従来の住宅は、台所に勝手口が設けられていないので開放感に欠ける。また、例えば、臭いの発生し易い生ゴミなどを早急に戸外に出したい場合には、廊下７や居間８などを通って、バルコニーや共用廊下まで移動する必要があり、不便であり、非衛生的でもある。さらに、台所で不意の事故などが発生した場合には、逃げ場所が限られているので安全性の点でも改善の余地がある。
【０００４】
また、調理台の戸外に面する部分には外壁が存在するので、昼間でも自然光を充分に採光することができず、暗くて調理をし難いといった問題もある。
【０００５】
本考案はこうした問題に鑑み創案されたもので、台所の使用勝手と採光性を高めた構成の住宅構造を提供する。
【課題を解決するための手段】
【０００６】
図１および図２を参照して説明する。請求項１に記載の台所開口部付き住宅構造は、マンション等の住宅における住宅構造であって、少なくとも、台所１と、前記台所１に設けた調理台２と、前記台所１の戸外面に面して設けたバルコニー３とを備えてなり、前記台所１とバルコニー３を区切る外壁４に、前記台所１とバルコニー３との間を出入りするための勝手口５を設けてなるものである。
【０００７】
請求項２に記載の台所開口部付き住宅構造は、マンション等の住宅における住宅構造であって、少なくとも、台所１と、前記台所１に設けた調理台２と、前記台所１の戸外面に面して設けたバルコニー３とを備えてなり、前記台所１とバルコニー３を区切る外壁４に、前記台所１とバルコニー３との間を出入りするための勝手口５を設け、さらに、前記外壁４に、前記調理台２に自然光を採光するための小窓６を形成してなるものである。
【考案の効果】
【０００８】
請求項１に記載の台所開口部付き住宅構造は、マンション等の住宅における住宅構造において、少なくとも、台所１と、台所１に設けた調理台２と、台所１の戸外面に面して設けたバルコニー３とを備えてなり、台所１とバルコニー３を区切る外壁４に、台所１とバルコニー３との間を出入りするための勝手口５を設けたので、その勝手口５を開けることにより、また、閉じた状態でもそこから入る自然光によって台所１に開放感を与えることができる。従って、台所１での居心地が良くなる。
【０００９】
また、台所１で発生したゴミなどを、廊下７や居間８などを通ることなく、勝手口５を通ってバルコニー３に出すことができ、便利であり、かつ、衛生的でもある。さらに、台所１で事故などが発生した場合には、勝手口５を通ってバルコニー３に逃げることができるので安全性にも優れる。
【００１０】
請求項２に記載の台所開口部付き住宅構造は、請求項１に記載の発明と同様に、台所１とバルコニー３を区切る外壁４に、台所１とバルコニー３との間を出入りするための勝手口５を設けたので、台所１に開放感を与えることができる。また、台所１で発生したゴミなどを、勝手口５を通ってバルコニー３に出すことができるので便利である。さらに、台所１で事故などが発生した場合には、勝手口５からバルコニー３に逃げることができるので安全性を確保することができる。
【００１１】
またさらに、外壁４に、調理台２に自然光を採光するための小窓６を形成したので、調理台２を自然光によって明るくすることができ、調理をし易くすることができる。また、自然光を採光するので、昼間にあっては電灯を使用する必要がなく、経済的である。
【考案を実施するための最良の形態】
【００１２】
本考案に係る台所開口部付き住宅構造の実施形態を、図１および図２に示す。
これは、マンションの住戸における住宅構造であり、居間８や個室９などと共に台所１と、その台所１に設けた調理台２と、台所１の戸外面に面して設けたバルコニー３を備えている。そして、台所１とバルコニー３を区切る外壁４に、台所１とバルコニー３との間を出入りするための勝手口５を設けている。この勝手口５は、ガラスを張った扉５ａを回動することによって開閉する。また、外壁４には、調理台２に自然光を採光するための小窓６を形成している。
【００１３】
この住宅構造においては、勝手口５を設けたので、その勝手口５を開けることにより、また、閉じた状態でもそこから入る自然光によって台所１に充分な開放感を与えることができる。
【００１４】
また、台所１で発生したゴミなどを、廊下７や居間８などを通ることなく、当該勝手口５を通ってバルコニー３に出すことができ、便利であり、衛生的でもある。さらに、台所１で例えば火災などの事故が発生した場合には、勝手口５を通って迅速にバルコニー３に逃げることができるので安全である。
【００１５】
また、この住宅構造は、外壁４に、調理台２に自然光を採光するための小窓６を形成しているので、調理台２を自然光によって明るく照らすことができ、調理を行い易くすることができる。また、自然光を採光するので、昼間にあっては電灯を使用する必要がない。従って、電気エネルギーを節約でき、経済的である。
【図面の簡単な説明】
【００１６】
【図１】本発明に係る台所開口部付き住宅構造の実施形態を示す平面図である。
【図２】図１における要部正面図である。
【符号の説明】
【００１７】
１      台所
２      調理台
３      バルコニー
４      外壁
５      勝手口
５ａ    扉
６      小窓
７      廊下
８      居間
９      個室
１０    浴室
１１    洗面所
Ｄ      ドア
【図１】
0003107963.tif 000003
【図２】
0003107963.tif 000004